(57)【要約】【課題】層間クロストーク抑制のための対策部品を別途設けることなく、複数の記録層から成る多層光記録媒体の記録層間で生じる層間クロストークを抑制することが出来る光ピックアップ装置を提供する。【解決手段】光源１１から出射されたレーザ光Ｂ１の中心部を格子部１３で回折することにより、格子部１４での回折により生じたメインビームＢ２１ａおよびサブビームＢ２１ｂ，Ｂ２１ｃの中心部を空洞部とすることが出来るため、記録層Ｌ１で反射されたメインビームＢ２１ａおよびサブビームＢ２１ｂ，Ｂ２１ｃの反射光Ｂ３１ａ，Ｂ３１ｂ，Ｂ３１ｃと、記録層Ｌ２で反射されたメインビームＢ２１ａおよびサブビームＢ２１ｂ，Ｂ２１ｃのクロストーク光とが重なり合うことを防止することができ、これにより層間クロストークを抑制することが出来る。【選択図】図１
2009140554.tif 000002
【特許請求の範囲】
【請求項１】
レーザ光を出射する光源と、
前記光源から出射されたレーザ光を回折する回折格子と、
前記回折格子で回折された前記レーザ光または複数の記録層から成る多層光記録媒体の記録層で反射された該レーザ光の光路を変換する光路変換部材と、
前記光路変換部材から入射する前記レーザ光を平行光に変換するコリメートレンズと、
前記コリメートレンズで平行光に変換された前記レーザ光を前記多層光記録媒体の所定の記録層に集光させる対物レンズと、
前記多層光記録媒体の記録層で反射された前記レーザ光を検出する第１光検出部と、
を備えた光ピックアップ装置において、
前記回折格子は、
前記光源から出射されたレーザ光の光束の中心部を、前記光路変換部材に入射させない第１の領域と、
前記光源から出射されたレーザ光の光束の周辺部を、前記光路変換部材に入射させる第２の領域と、
を有することを特徴とする光ピックアップ装置。
【請求項２】
請求項１に記載の光ピックアップ装置において、
前記第１の領域は、
前記光源から出射されたレーザ光の光束の中心部を、前記光路変換部材に入射しない方向に回折させる第１の格子部から成り、
前記第２の領域は、
前記光源から出射されたレーザ光の光束の周辺部を、前記光路変換部材に入射する方向に回折させる第２の格子部から成る、
ことを特徴とする光ピックアップ装置。
【請求項３】
請求項２に記載の光ピックアップ装置において、
前記第１の格子部の格子間隔が、前記第２の格子部の格子間隔よりも狭いことを特徴とする光ピックアップ装置。
【請求項４】
請求項２に記載の光ピックアップ装置において、
前記第１の格子部で回折された前記レーザ光を回折直後に遮光する遮光手段を設けたことを特徴とする光ピックアップ装置。
【請求項５】
請求項４に記載の光ピックアップ装置において、
前記第１の格子部で回折された前記レーザ光の一方の光路上にあって、該レーザ光を検出する第２光検出部と、前記第１の格子部で回折された前記レーザ光の他方の光路上にあって、前記光路変更部材を支持するための支持部材とを設け、
前記遮光手段は、前記支持部材から成ることを特徴とする光ピックアップ装置。
【請求項６】
請求項５に記載の光ピックアップ装置において、
前記第２光検出部での検出結果に基づいて、前記光源の制御を行うことを特徴とする光ピックアップ装置。
【請求項７】
請求項５に記載の光ピックアップ装置において、
前記支持部材の表面に前記レーザ光を乱反射させるための加工を施すことを特徴とする光ピックアップ装置。
【請求項８】
請求項１に記載の光ピックアップ装置において、
前記コリメートレンズから前記対物レンズに入射する前記レーザ光のＲＩＭ強度を調整するためのＲＩＭ強度調整手段を設け、
前記ＲＩＭ強度調整手段は、前記回折格子から成ることを特徴とする光ピックアップ装置。
【発明の詳細な説明】
【技術分野】
【０００１】
本発明は、多層光記録媒体の記録層間で生じる層間クロストークを抑制する光ピックアップ装置に関する。
【背景技術】
【０００２】
近年、テレビジョン放送の録画や、ビデオカメラやデジタルカメラなどの撮像装置による撮影において、大容量のデータを保存する為の記録媒体として、ＤＶＤ（Digital Versatile Disk）やＢＤ（Blu-ray Disc；登録商標）などの光記録媒体が用いられている。
【０００３】
しかしながら、テレビジョン放送のデジタル化や撮像装置の高性能化、映像のＨＤ（High Definition）化など、今後の技術革新によって、動画データに代表される記録データの更なる大容量化が見込まれる。
【０００４】
これらの動向に対応すべく、光記録技術の分野において、高密度な光記録方法に関する様々な研究がなされており、一例としては、データを記録する記録層を多層化することにより記録容量を増大させる方法が挙げられる。具体例としては、記録層を２層設けたＤＶＤやＢＤ等があり、更に多層化された光記録媒体の実現に向けて日々研究がなされている。
【０００５】
しかしながら、光記録媒体の多層化を図ることによって、層間クロストークの問題が生じる。
ここで、層間クロストークとは、光源から出射されたレーザ光の一部が、集光対象でない記録層で反射されることによって、集光対象の記録層で反射されたレーザ光と重なり合う現象である。これにより、レーザ光を受光し、該レーザ光に対応する信号を出力する光検出器に対して、集光対象の記録層で反射されたレーザ光と集光対象でない記録層で反射されたレーザ光とが入射するため、本来の記録層からのレーザ光による信号に、意図しない記録層からのレーザ光による信号がノイズ成分として含まれてしまう。
【０００６】
特許文献１には、光源から光ディスク面上へ出射されたレーザ光、および光ディスク面上で反射されたレーザ光を回折する回折格子に対して、対物レンズへ入射する光束の強度分布を整形する機能を付加することで、光ディスク面上の光スポット径を小さくし、再生信号の分解能の改善やクロストークの大幅な低減を行う光学式情報記録装置が記載されている。
【０００７】
特許文献２には、光ディスクの記録層で反射された反射レーザ光を受光して、対応する信号を出力する光検出器の受光面に、該反射レーザ光の中央部を所定の割合で回折させ、周縁部を非回折光として透過させる回折光学素子を設けることで、層間クロストークを低減する光ヘッド装置が記載されている。
【０００８】
【特許文献１】特開２００１−１３４９７２号公報
【特許文献２】特開２００６−２４４５３５号公報
【発明の開示】
【発明が解決しようとする課題】
【０００９】
上記特許文献１に記載の光学式情報記録装置では、所定の記録層で反射したレーザ光と、所定の記録層以外で反射したレーザ光とが重なり合うことを防止することが出来ないため、有効な層間クロストーク抑制手段とは言えず、特許文献２に記載の光ヘッド装置では、層間クロストーク抑制のための対策部品を別途設けているため、コスト削減を図ることが出来ない。
【００１０】
本発明は、上述した問題点に鑑み、層間クロストーク抑制のための対策部品を別途設けることなく、複数の記録層から成る多層光記録媒体の記録層間で生じる層間クロストークを抑制することが出来る光ピックアップ装置を提供することを目的としている。
【課題を解決するための手段】
【００１１】
本発明に係る光ピックアップ装置は、レーザ光を出射する光源と、光源から出射されたレーザ光を回折する回折格子と、回折格子で回折されたレーザ光または複数の記録層から成る多層光記録媒体の記録層で反射された該レーザ光の光路を変換する光路変換部材と、光路変換部材から入射するレーザ光を平行光に変換するコリメートレンズと、コリメートレンズで平行光に変換されたレーザ光を多層光記録媒体の所定の記録層に集光させる対物レンズと、多層光記録媒体の記録層で反射されたレーザ光を検出する第１光検出部とを備えており、回折格子は、光源から出射されたレーザ光の光束の中心部を、光路変換部材に入射させない第１の領域と、光源から出射されたレーザ光の光束の周辺部を、光路変換部材に入射させる第２の領域とを有している。
【００１２】
このようにすることで、第２の領域で回折されたレーザ光において、多層光記録媒体の所定の記録層で反射された該レーザ光と、同多層光記録媒体の所定以外の記録層で反射された該レーザ光とが、重なり合った状態で第１光検出部に入射しないため、多層光記録媒体の記録層間で生じる層間クロストークについて、該層間クロストーク抑制のための対策部品を別途設けることなく、抑制することが出来る。
これにより、多層光記録媒体の所定の記録層で反射されたレーザ光を高精度に検出し、多層光記録媒体に対する記録または再生を良好に行うことが出来るとともに、部品点数の削減によるコスト削減を図ることが出来る。
【００１３】
本発明の光ピックアップ装置において、第１の領域は、光源から出射されたレーザ光の光束の中心部を、光路変換部材に入射しない方向に回折させる第１の格子部から構成し、第２の領域は、光源から出射されたレーザ光の光束の周辺部を、光路変換部材に入射する方向に回折させる第２の格子部から構成してもよい。
【００１４】
このようにすることで、回折格子を容易に成形することが出来るため、コスト削減を図ることが出来る。
【００１５】
本発明の光ピックアップ装置において、第１の格子部の格子間隔を、第２の格子部の格子間隔よりも狭くしてもよい。
【００１６】
このようにすることで、光源から出射されたレーザ光の光束の中心部および周辺部を、それぞれ異なる方向に、容易に回折することが出来る。
【００１７】
本発明の光ピックアップ装置において第１の格子部で回折されたレーザ光を回折直後に遮光する遮光手段を設けてもよい。
【００１８】
このようにすることで、第１の格子部で回折されたレーザ光による干渉等を防止することが出来るため、多層光記録媒体に対する記録または再生を良好に行うことが出来る。
【００１９】
本発明の光ピックアップ装置において、第１の格子部で回折されたレーザ光の一方の光路上にあって、該レーザ光を検出する第２光検出部と、第１の格子部で回折されたレーザ光の他方の光路上にあって、光路変更部材を支持するための支持部材とを設け、遮光手段を支持部材から構成してもよい。
【００２０】
このようにすることで、第１の格子部で回折されたレーザ光の一方に関する検出結果を、光源を制御する際の制御情報等として有効利用することができ、また、光路変換部材を安定した状態で設置することが出来ることに加えて、第１の格子部で回折されたレーザ光の他方を遮光することが出来るため、部品点数増加によるコストアップを防止することが出来る。
【００２１】
本発明の光ピックアップ装置において、第２光検出部での検出結果に基づいて、光源の制御を行うようにしてもよい。
【００２２】
このようにすることで、光源から出射されるレーザ光の出力を安定させる等の制御を行うことが出来る。
【００２３】
本発明の光ピックアップ装置において、支持部材の表面にレーザ光を乱反射させるための加工を施してもよい。
【００２４】
このようにすることで、第１の格子部で回折されたレーザ光の他方が、支持部材で遮光された後、再び同じ光強度で反射することを防止することが出来るため、多層光記録媒体に対する記録または再生を良好に行うことが出来る。
【００２５】
本発明の光ピックアップ装置において、コリメートレンズから対物レンズに入射するレーザ光のＲＩＭ強度を調整するためのＲＩＭ強度調整手段を設け、該ＲＩＭ強度調整手段を回折格子から構成してもよい。
【００２６】
このようにすることで、ＲＩＭ強度調整のための対策部品を別途設けることなく、多層光記録媒体の所定の記録層に集光されるレーザ光の光スポットを小さく形成することが出来るため、多層光記録媒体に対する再生において、分解能を高めることが出来るとともに、部品点数増加によるコストアップを防止することが出来る。
【発明の効果】
【００２７】
本発明によれば、層間クロストーク抑制のための対策部品を別途設けることなく、多層光記録媒体の記録層間で生じる層間クロストークを抑制出来るため、多層光記録媒体の所定の記録層で反射されたレーザ光を高精度に検出し、多層光記録媒体に対する記録または再生を良好に行うことが出来る。また、部品点数の削減によるコスト削減を図ることが出来る。
【発明を実施するための最良の形態】
【００２８】
以下、本発明の実施形態につき、図面を参照しながら説明する。
尚、後述する図１〜図６において、同一部分または対応する部分には、同一符号を付してある。
【００２９】
図１の（ａ），（ｂ）は、本発明の実施形態である光ピックアップ装置１００を示した概略構成図である。
図１の（ａ）では、光記録媒体２００の記録層Ｌ１に対して情報の記録または再生を行い、図１の（ｂ）では、光記録媒体２００の記録層Ｌ２に対して情報の記録または再生を行う。
【００３０】
図中の１１は光源であって、波長が４０５ｎｍの青紫色レーザ光を出射する半導体レーザを備えたレーザダイオードから成る。
【００３１】
１２は光源１１に対応して設けられた回折格子であり、該回折格子１２は図２の（ａ）に示す構造をしている。
図２の（ａ）において、１３は光源１１から出射されたレーザ光Ｂ１の光束の中心部を回折する格子部であり、１４は同レーザ光Ｂ１の光束の中心部以外を回折する格子部である。格子部１３の形状は円形であり、格子部１４の形状は方形である。
【００３２】
格子部１３と格子部１４は、互いに異なる格子間隔で形成されており、格子部１３の格子間隔が、格子部１４の格子間隔よりも狭くなるように形成されている。また、格子部１３は格子部１４の中心に設けられている。
尚、格子部１３，１４は、本発明における第１，第２の領域および第１，第２の格子部の一実施形態である。
【００３３】
図１の（ａ）においては、光源１１から出射されたレーザ光Ｂ１が、回折格子１２に入射することにより、格子部１３では、図中の二点鎖線で示す回折光Ｂ１１ａ，Ｂ１１ｂが生じる。また、格子部１４では、図中の一点鎖線で示す０次回折光（以下、「メインビーム」と記載）Ｂ２１ａと、図中の破線で示す±１次回折光（以下、「サブビーム」と記載）Ｂ２１ｂ，Ｂ２１ｃが生じる。
【００３４】
図１の（ｂ）においては、光源１１から出射されたレーザ光Ｂ１が、回折格子１２に入射することにより、格子部１３では、図中の二点鎖線で示す回折光Ｂ１１ａ，Ｂ１１ｂが生じる。また、格子部１４では、図中の一点鎖線で示す０次回折光（以下、「メインビーム」と記載）Ｂ２２ａと、図中の破線で示す±１次回折光（以下、「サブビーム」と記載）Ｂ２２ｂ，Ｂ２２ｃが生じる。
【００３５】
１５は光路変更部材であり、ビームスプリッタ等から成る。図１の（ａ）において、光路変更部材１５は、メインビームＢ２１ａおよびサブビームＢ２１ｂ，Ｂ２１ｃ（以下、総称して「第１の３ビーム」と記載）を光記録媒体２００の記録層Ｌ１に向けて反射させ、光記録媒体２００の記録層Ｌ１で反射されたメインビームＢ２１ａの反射光Ｂ３１ａおよびサブビームＢ２１ｂ，Ｂ２１ｃの反射光Ｂ３１ｂ，Ｂ３１ｃを透過させる様に形成されている。また、図１の（ｂ）において、光路変更部材１５は、メインビームＢ２２ａおよびサブビームＢ２２ｂ，Ｂ２２ｃ（以下、総称して「第２の３ビーム」と記載）を光記録媒体２００の記録層Ｌ２に向けて反射させ、光記録媒体２００の記録層Ｌ２で反射されたメインビームＢ２２ａの反射光Ｂ３２ａおよびサブビームＢ２２ｂ，Ｂ２２ｃの反射光Ｂ３２ｂ，Ｂ３２ｃを透過させる様に形成されている。
【００３６】
１６ａ〜１６ｃは光路変更部材１５を支持するための支持部材であり、ＰＰＳ（Poly Phenylene Sulfide：ポリフェニレンサルファイド）樹脂等から成る。支持部材１６ａ〜１６ｃの表面には、シボ加工等の光を乱反射させるための加工が施されている。尚、支持部材１６ａは、本発明における遮光手段の一実施形態である。
【００３７】
１７は光路変更部材１５で反射された第１，第２の３ビームを平行光に変換するコリメートレンズであり、１８はコリメートレンズ１７で平行光に変換された第１，第２の３ビームを光記録媒体２００の記録層Ｌ１，Ｌ２に集光させるための対物レンズである。
【００３８】
１９は記録層Ｌ１で反射した反射光Ｂ３１ａ〜Ｂ３１ｃまたは記録層Ｌ２で反射した反射光Ｂ３２ａ〜Ｂ３２ｃを検出する第１光検出部であり、ＰＤＩＣ（Photo Diode Integrated Circuit）等から成る。２０は格子部１３で生じた回折光Ｂ１１ａを検出する第２光検出部であり、ＰＤＩＣ等から成る。
【００３９】
光源１１から出射されたレーザ光Ｂ１は、図２の（ａ）に示す状態で回折格子１２に入射し、該レーザ光Ｂ１の光束の中心部は格子部１３によって回折され、中心部以外は格子部１４によって回折される。
【００４０】
格子部１３では、回折光Ｂ１１ａ，Ｂ１１ｂが生じ、回折光Ｂ１１ａは、第２光検出部２０の方向へ回折され、回折光Ｂ１１ｂは光記録媒体２００の方向へ回折される。回折光Ｂ１１ａの形状は、図２の（ｂ）に示す様な円形状であり、回折光Ｂ１１ｂの形状も回折光Ｂ１１ａと同様、円形状となる。尚、回折光Ｂ１１ｂの形状については図示を省略する。
【００４１】
第２光検出部２０の方向へ回折された回折光Ｂ１１ａは、光路変更部材１５や第１光検出部１９等の光学系に入射することなく、第２光検出部２０に入射する。第２光検出部２０に入射した回折光Ｂ１１ａは、該第２光検出部２０の受光面（図示省略）に設けられた受光部（図示省略）で受光された後、電気信号に変換され、該電気信号はＡＰＣ（Auto Power Control）駆動回路（図示省略）に供給される。ＡＰＣ駆動回路では、上述の電気信号を用いて、光源１１から出射されるレーザ光Ｂ１の出力制御が行われる。
【００４２】
光記録媒体２００の方向へ回折された回折光Ｂ１１ｂは、コリメートレンズ１７，対物レンズ１８，光記録媒体２００等の光学系に入射する恐れがあるため、支持部材１６ａにて遮光される。支持部材１６ａで遮光された回折光Ｂ１１ｂは、該支持部材１６ａの表面において乱反射される。尚、該乱反射が光ピックアップ１００の光学系全体に対して影響を及ぼすことは無い。
【００４３】
図１の（ａ）の場合、格子部１４では、情報の記録または再生のためのメインビームＢ２１ａ、および光ピックアップ１００のフォーカス・トラッキングサーボ等を行うためのサブビームＢ２１ｂ，Ｂ２１ｃが生じる。
【００４４】
メインビームＢ２１ａの形状は、図２の（ｃ）に示す様なリング状であり、サブビームＢ２１ｂ，Ｂ２１ｃの形状もメインビームＢ２１ａと同様、リング状となる。尚、サブビームＢ２１ｂ，Ｂ２１ｃの形状については図示を省略する。
【００４５】
これは、格子部１４で回折されるレーザ光Ｂ１が、該レーザ光Ｂ１の光束の中心部以外であって、光束の中心部を含んだ光束全体ではないことに起因している。このため、メインビームＢ２１ａの中心部は、図２の（ｃ）においてＢ２１ｓで示されるような空洞部となる。
【００４６】
図１の（ｂ）の場合、格子部１４では、情報の記録または再生のためのメインビームＢ２２ａ、および光ピックアップ１００のフォーカス・トラッキングサーボ等を行うためのサブビームＢ２２ｂ，Ｂ２２ｃが生じる。
ここで、メインビームＢ２２ａおよびサブビームＢ２２ｂ，Ｂ２２ｃの形状は、図１の（ａ）の場合と同様に、図２の（ｃ）に示したようなリング状となる。
【００４７】
図１の（ａ）において、格子部１４で生じた第１の３ビームは、光路変更部材１５にそれぞれ入射した後、光記録媒体２００に向けて反射され、コリメートレンズ１７に入射する。コリメートレンズ１７への入射により、平行光に変換された第１の３ビームは、対物レンズ１８によって、記録層Ｌ１に集光される。
また、図１の（ｂ）において、格子部１４で生じた第２の３ビームは、光路変更部材１５にそれぞれ入射した後、光記録媒体２００に向けて反射され、コリメートレンズ１７に入射する。コリメートレンズ１７への入射により、平行光に変換された第２の３ビームは、対物レンズ１８によって、記録層Ｌ２に集光される。
【００４８】
上述の集光によって、第１，第２の３ビームの光束はそれぞれ収束されるため、スポット径もそれぞれ小さくなる。これにより、上述したメインビームＢ２１ａの空洞部Ｂ２１ｓは皆無に等しい状態となるため、図２の（ｃ）に示す様なリング状から、図２の（ｄ）に示す様な略円形状に変化する。よって、記録層Ｌ１に対して適正な形状の光スポットを形成することが出来る。これは、サブビームＢ２１ｂ，Ｂ２１ｃについても同様であり、記録層Ｌ２に集光されるメインビームＢ２２ａおよびサブビームＢ２２ｂ，Ｂ２２ｃについても同様である。
【００４９】
記録層Ｌ１に集光された第１の３ビームは、該記録層Ｌ１で反射された後、反射光Ｂ３１ａ〜Ｂ３１ｃ（以下、纏めて「第１の反射３ビーム」と記載）となって、対物レンズ１８，コリメートレンズ１７，光路変更部材１５の順で再入射する。光路変更部材１５に再入射した第１の反射３ビームは、該光路変更部材１５を透過し、第１光検出部１９に入射する。
【００５０】
また、記録層Ｌ２に集光された第２の３ビームは、該記録層Ｌ２で反射された後、反射光Ｂ３２ａ〜Ｂ３２ｃ（以下、纏めて「第２の反射３ビーム」と記載）となって、対物レンズ１８，コリメートレンズ１７，光路変更部材１５の順で再入射する。光路変更部材１５に再入射した第２の反射３ビームは、該光路変更部材１５を透過し、第１光検出部１９に入射する。
【００５１】
ここで、図４に示す様に、第１光検出部１９の受光面１９ｆには、３つの受光部１９ａ，１９ｂ，１９ｃが設けられている。
【００５２】
図１の（ａ）の場合、反射光Ｂ３１ａは受光部１９ａで受光された後、電気信号に変換され、信号処理部（図示省略）に供給される。信号処理部（図示省略）では、該電気信号を用いて、光記録媒体２００の記録層Ｌ１に対する情報の再生が行われる。
【００５３】
反射光Ｂ３１ｂ，Ｂ３１ｃは受光部１９ｂ，１９ｃでそれぞれ受光された後、電気信号に変換され、フォーカス・トラッキングサーボ部（図示省略）等に供給される。この内、フォーカス・トラッキングサーボ部（図示省略）では、該電気信号を用いて、光ピックアップ１００のフォーカス制御およびトラッキング制御が行われ、これにより、光記録媒体２００の記録層Ｌ１に対する情報の記録または再生の動作が安定する。
【００５４】
また、図１の（ｂ）の場合、反射光Ｂ３２ａは受光部１９ａで受光された後、電気信号に変換され、信号処理部（図示省略）に供給される。信号処理部（図示省略）では、該電気信号を用いて、光記録媒体２００の記録層Ｌ２に対する情報の再生が行われる。
【００５５】
反射光Ｂ３２ｂ，Ｂ３２ｃは受光部１９ｂ，１９ｃでそれぞれ受光された後、電気信号に変換され、フォーカス・トラッキングサーボ部（図示省略）等に供給される。この内、フォーカス・トラッキングサーボ部（図示省略）では、該電気信号を用いて、光ピックアップ１００のフォーカス制御およびトラッキング制御が行われ、これにより、光記録媒体２００の記録層Ｌ２に対する情報の記録または再生の動作が安定する。
【００５６】
図３の（ａ）は、図１の（ａ）の場合において、光ピックアップ１００にて生じる層間クロストーク現象を示した図であり、図３の（ｂ）は、図１の（ｂ）の場合において、光ピックアップ１００にて生じる層間クロストーク現象を示した図である。
尚、下記においては、メインビームＢ２１ａ，Ｂ２２ａに係る層間クロストーク現象についてのみ詳述し、サブビームＢ２１ｂ，Ｂ２１ｃおよびサブビームＢ２２ｂ，Ｂ２２ｃについては同様の説明となるため、図示と併せて省略する。
【００５７】
図３の（ａ）において、メインビームＢ２１ａは、対物レンズ１８により、その光束が収束され、光記録媒体２００の記録層Ｌ１に集光される。該集光により、メインビームＢ２１ａの大部分は、図中の一点鎖線で示す様に、記録層Ｌ１で反射され、反射光Ｂ３１ａとなるが、一部は、図中の破線で示す様に、記録層Ｌ１を透過した後、記録層Ｌ２で反射され、クロストーク光Ｂ３３ａとなる。
【００５８】
反射光Ｂ３１ａは、光束が再び収束され、第１光検出部１９（図４）に設けられた受光部１９ａ（図４）に集光される。クロストーク光Ｂ３３ａは、光束が収束されること無く、第１光検出部１９の受光面１９ｆ（図４）に入射する。
【００５９】
図３の（ｂ）において、メインビームＢ２２ａは、対物レンズ１８により、その光束が収束され、光記録媒体２００の記録層Ｌ２に集光される。該集光により、メインビームＢ２２ａの大部分は、図中の一点鎖線で示す様に、記録層Ｌ２で反射され、反射光Ｂ３２ａとなるが、一部は、図中の破線で示す様に、記録層Ｌ２に到達すること無く、記録層Ｌ１で反射され、クロストーク光Ｂ３４ａとなる。
【００６０】
反射光Ｂ３２ａは、光束が再び収束され、第１光検出部１９に設けられた受光部１９ａに集光される。クロストーク光Ｂ３４ａは、光束が収束されること無く、第１光検出部１９の受光面１９ｆに入射する。
【００６１】
図５の（ａ）は、本発明における回折格子を適用しない場合の、第１光検出部１９（図４）での検出状況を示した図であり、図５の（ｂ）は、同回折格子を適用した場合の、第１光検出部１９での検出状況を示した図である。
つまり、図５の（ａ）は、図１の（ａ）において、格子部１４のみで構成された回折格子を用いる場合を示しており、図５の（ｂ）は、図１の（ａ）において、格子部１３と格子部１４で構成された回折格子を用いる場合を示している。
【００６２】
尚、下記においては、図１の（ａ）に関してのみ詳述し、図１の（ｂ）に関しては同様の説明となるため、図示と併せて省略する。
【００６３】
図５の（ａ）の場合、レーザ光Ｂ１（図２の（ａ））の光束全体が、格子部１４（図２の（ａ））によって回折されるため、回折後に生じる３ビームの形状は円形状となる。このため、記録層Ｌ１で反射された反射光Ｂ３１ａ〜Ｂ３１ｃの形状も円形状となり、また、記録層Ｌ２で反射されたクロストーク光Ｂ３３ａ〜Ｂ３３ｃの形状も円形状となる。尚、クロストーク光Ｂ３３ｂは、サブビームＢ２１ｂの一部が記録層Ｌ２で反射したものであり、クロストーク光Ｂ３３ｃは、サブビームＢ２１ｃの一部が記録層Ｌ２で反射したものである。
【００６４】
これにより、該反射光Ｂ３１ａ〜Ｂ３１ｃと、該クロストーク光Ｂ３３ａ〜Ｂ３３ｃとが、それぞれ重なり合った状態で第１光検出部１９に入射するため、各受光部１９ａ〜１９ｃにおいて、反射光Ｂ３１ａ〜Ｂ３１ｃとクロストーク光Ｂ３３ａ〜Ｂ３３ｃとがそれぞれ同時に受光されてしまう。
【００６５】
よって、記録層Ｌ１からの反射光Ｂ３１ａ〜Ｂ３１ｃの受光を高精度で行うことが出来ず、情報の記録または再生に係る光ピックアップの動作を安定させることが出来ない。
【００６６】
図５の（ｂ）の場合、レーザ光Ｂ１（図２の（ａ））の光束の中心部が格子部１３（図２の（ａ））によって回折され、中心部以外が格子部１４（図２の（ａ））によって回折されるため、回折後に生じる３ビームの形状はリング状となる。このため、記録層Ｌ１で反射された反射光Ｂ３１ａ〜Ｂ３１ｃの形状もリング状となり、また、記録層Ｌ２で反射されたクロストーク光Ｂ３３ａ〜Ｂ３３ｃの形状もリング状となる。
【００６７】
第１光検出部１９において、該反射光Ｂ３１ａ〜Ｂ３１ｃは、光束が収束されるため、図２の（ｄ）に示すような略円形状となり、該クロストーク光Ｂ３３ａ〜Ｂ３３ｃは、光束が収束されないため、リング状のままとなる。このため、該反射光Ｂ３１ａ〜Ｂ３１ｃと、該クロストーク光Ｂ３３ａ〜Ｂ３３ｃとが、それぞれ重なり合わない状態で第１光検出部１９に入射する。
【００６８】
これにより、各受光部１９ａ〜１９ｃにおいて、反射光Ｂ３１ａ〜Ｂ３１ｃとクロストーク光Ｂ３３ａ〜Ｂ３３ｃとがそれぞれ同時に受光されることはない。また、クロストーク光Ｂ３３ａが隣り合う受光部１９ｂ，１９ｃで検出されることはなく、クロストーク光Ｂ３３ｂ，Ｂ３３ｃについても同様である。
よって、記録層Ｌ１からの反射光Ｂ３１ａ〜Ｂ３１ｃの受光を高精度で行うことができ、情報の記録または再生に係る光ピックアップの動作を安定させることが出来る。
【００６９】
図６の（ａ）は、本発明でのＲＩＭ強度（レンズ中心部における光強度に対する、レンズ外縁部における光強度の比）調整手段を適用しない場合における、コリメートレンズ１７（図１の（ａ））から対物レンズ１８（図１の（ａ））に入射するメインビームＢ２１ａの強度を示した図であり、図６の（ｂ）は、本発明でのＲＩＭ強度調整手段を適用した場合における、対物レンズ１８に入射するメインビームＢ２１ａの強度を示した図である。
【００７０】
つまり、図６の（ａ）は、図１の（ａ）において、格子部１４のみで構成された回折格子を用いる場合を示しており、図６の（ｂ）は、図１の（ａ）において、格子部１３と格子部１４で構成された回折格子を用いる場合を示している。
【００７１】
尚、下記においては、メインビームＢ２１ａのＲＩＭ強度に関してのみ詳述し、サブビームＢ２１ｂ，Ｂ２１ｃおよびメインビームＢ２２ａ、サブビームＢ２２ｂ，Ｂ２２ｃについては同様の説明となるため、図示と併せて省略する。
【００７２】
図中において、Ｐｉは対物レンズ１８に対してメインビームＢ２１ａが入射することが出来る入射瞳範囲を示しており、Ｉ（１），Ｉ（３）は、入射瞳範囲Ｐｉ内におけるメインビームＢ２１ａの最小強度であり、Ｉ（２），Ｉ（４）は、入射瞳範囲Ｐｉ内におけるメインビームＢ２１ａの最大強度である。
この場合、ＲＩＭ強度は、入射瞳範囲Ｐｉ内におけるメインビームＢ２１ａの最小強度をメインビームＢ２１ａの最大強度で割った値、つまりＩ（１）／Ｉ（２）およびＩ（３）／Ｉ（４）で示すことが出来る。
【００７３】
図６の（ａ）の場合、レーザ光Ｂ１（図２の（ａ））の光束全体が、格子部１４（図２の（ａ））によって回折されるため、コリメートレンズ１７から対物レンズ１８へ入射する際のメインビームＢ２１ａの強度は、図示する様な、中心部の強度が抑えられていない曲線を描く。
【００７４】
図６の（ｂ）の場合、レーザ光Ｂ１の光束の中心部が格子部１３（図２の（ａ））によって回折され、中心部以外が格子部１４によって回折されるため、コリメートレンズ１７から対物レンズ１８へ入射する際のメインビームＢ２１ａの強度は、図示する様な、中心部の強度が抑えられた曲線を描く。
【００７５】
よって、図６の（ｂ）の場合のＲＩＭ強度Ｉ（３）／Ｉ（４）は、図６の（ａ）の場合のＲＩＭ強度Ｉ（１）／Ｉ（２）に比べて高くなるため、記録層Ｌ１において、スポット径の小さい光スポットを形成することが出来る。
これにより、光記録媒体２００に対して情報の再生を行う際の分解能を高めることができ、該再生による再生信号を高精度で検出することが出来る。
【００７６】
上述した図１の（ａ）に示す実施形態においては、光源１１から出射されたレーザ光Ｂ１の中心部を格子部１３で回折することにより、格子部１４での回折により生じたメインビームＢ２１ａおよびサブビームＢ２１ｂ，Ｂ２１ｃの形状をリング状にすることが出来る。
【００７７】
これにより、光記録媒体２００の記録層Ｌ１を透過し、記録層Ｌ２で反射されたクロストーク光Ｂ３３ａ〜Ｂ３３ｃの中心部が空洞部となるため、該反射光Ｂ３１ａ〜Ｂ３１ｃと、該クロストーク光Ｂ３３ａ〜Ｂ３３ｃとが、それぞれ重なり合わない状態で第１光検出部１９に入射する。
【００７８】
よって、各受光部１９ａ〜１９ｃにおいて、反射光Ｂ３１ａ〜Ｂ３１ｃとクロストーク光Ｂ３３ａ〜Ｂ３３ｃとがそれぞれ同時に受光されることはなく、記録層Ｌ１からの反射光Ｂ３１ａ〜Ｂ３１ｃの受光を高精度で行うことができ、情報の記録または再生に係る光ピックアップの動作を安定させることが出来る。尚、図１の（ｂ）に示した実施形態においても同様となるため、説明を省略する。
【００７９】
また、上述した図１の（ａ），（ｂ）に示す実施形態においては、コリメートレンズ１７から対物レンズ１８に入射する各ビームのＲＩＭ強度を高くすることが出来るため、記録層Ｌ１またはＬ２へ集光する際に、スポット径の小さい光スポットを形成することが出来る。これにより、光記録媒体２００に対して情報の再生を行う際の分解能を高めることができ、該再生による再生信号を高精度で検出することが出来る。
【００８０】
本発明では、以上述べた以外にも種々の実施形態を採用することが出来る。例えば、上記実施形態では、回折格子１２の格子部１３の形状を、成型によるコスト面から円形状としたが、これに限られず、格子部１３の格子間隔が、格子部１４の格子間隔よりも狭くなるように形成されるのであれば、格子部１４と同様の方形状または、それ以外の形状でもよい。
【００８１】
また、上記実施形態では、格子部１４を、３つのビームＢ２１ａ〜Ｂ２１ｃまたはＢ２２ａ〜Ｂ２２ｃを生じさせる格子部としたが、これに限られず、１つのビームを生じさせる格子部としてもよい。
【００８２】
また、上記実施形態では、支持部材１６の材料としてＰＰＳを用いたが、アルミニウム等の金属類を用いてもよい。
【００８３】
また、上記実施形態では、光記録媒体２００として、２つの記録層Ｌ１，Ｌ２を有する２層記録媒体を用いたが、３つ以上の記録層を有する多層光記録媒体を用いてもよい。
【００８４】
さらに、上記実施形態では、光源として波長が４０５ｎｍの青紫色レーザ光を出射する半導体レーザを備えたレーザダイオードを用いたが、これに限られず、波長が６５０ｎｍの赤色レーザ光を出射する半導体レーザを備えたレーザダイオードや、波長が７８０ｎｍの赤外線レーザ光を出射する半導体レーザを備えたレーザダイオードなどを用いてもよい。
【図面の簡単な説明】
【００８５】
【図１】本発明の実施形態である光ピックアップ装置を示した概略構成図である。
【図２】同光ピックアップ装置に設けられた回折格子を示した図である。
【図３】同光ピックアップ装置における層間クロストーク現象を示した図である。
【図４】同光ピックアップ装置に設けられた第１光検出部の詳細を示した図である。
【図５】同第１光検出部における検出状況を示した図である。
【図６】同光ピックアップ装置に設けられた対物レンズにおけるＲＩＭ強度を示した図である。
【符号の説明】
【００８６】
１１                        光源
１２                        回折格子
１３，１４                  格子部
１５                        光路変更部材
１６ａ，１６ｂ，１６ｃ      支持部材
１９                        第１光検出部
１９ａ，１９ｂ，１９ｃ      受光部
１９ｆ                      受光面
２０                        第２光検出部
１００                      光ピックアップ
２００                      光記録媒体
Ｌ１，Ｌ２                  記録層
【図１】
2009140554.tif 000003
【図２】
2009140554.tif 000004
【図３】
2009140554.tif 000005
【図４】
2009140554.tif 000006
【図５】
2009140554.tif 000007
【図６】
2009140554.tif 000008